(57)【要約】遠隔で武装させる機能を有し、非武装状態でげっ歯類動物捕獲器を展開したのち、使用者が物理的に捕獲器にアクセスすることなく待機期間後に武装をする方法を有するげっ歯類動物捕獲器が提供される。好ましくは電子げっ歯類動物捕獲器として具現化される捕獲器は、無線遠隔武装機能、時間で武装する機能、活動に基づく武装、その他類似の方法を備えて構成されてもよい。非武装状態において、捕獲器は監視モードで動作し、捕獲器は活動及び／又は捕獲器とのインタラクションを監視、評価可能であり、無線信号の送受信が可能である。
2020508682.tif 000002
【特許請求の範囲】
【請求項１】
自己武装する電子げっ歯類動物捕獲器であって、
複数の殺傷プレートに接続された高電圧出力回路と、
前記高電圧出力回路を制御するための中央演算処理装置を含み、
前記中央演算処理装置は前記捕獲器の状態を捕獲器展開の後に起こる武装イベントに応答して非武装状態から武装状態に変えるように構成され、
前記状態の変更は使用者による手動の介入なしで実行される、
自己武装する電子げっ歯類動物捕獲器。
【請求項２】
前記捕獲器がさらにタイマーを含み、
前記武装イベントは前記タイマーによって設定された時間の満了を含む、
請求項１に記載の自己武装する電子げっ歯類動物捕獲器。
【請求項３】
前記捕獲器がさらに活動センサを含み、
前記捕獲器は前記非武装状態において前記高電圧回路が停止中に前記活動センサを使って前記捕獲器内の又は前記捕獲器に隣接した活動を監視し、
前記武装イベントは、前記捕獲器内の又は前記捕獲器に隣接したげっ歯類動物の閾値レベルの活動を前記活動センサにより検出することを含む、
請求項１に記載の自己武装する電子げっ歯類動物捕獲器。
【請求項４】
前記活動センサが、動作検出装置、温度検出装置、能動的赤外線検出装置、受動的赤外線検出装置、近接検出装置、及びインピーダンス検出装置から成るグループから選択される少なくとも１つのセンサを含む、
請求項３に記載の自己武装する電子げっ歯類動物捕獲器。
【請求項５】
前記閾値レベルが、前記活動センサによって検出される前記捕獲器とのげっ歯類動物のインタラクション回数が閾値に到達することを含む、
請求項３に記載の自己武装する電子げっ歯類動物捕獲器。
【請求項６】
前記捕獲器がさらに前記中央演算処理装置が遠隔の使用者と無線通信できるようにする通信チップを含み、
前記武装イベントは前記中央演算処理装置に前記捕獲器を前記武装状態に起動するよう命令する前記遠隔の使用者からの無線信号の受信を含む、
請求項１に記載の自己武装する電子げっ歯類動物捕獲器。
【請求項７】
自己武装する電子げっ歯類動物捕獲器システムであって、前記システムは、
複数の殺傷プレートに接続された高電圧出力回路を有する電子げっ歯類動物捕獲器と、
前記高電圧出力回路を制御するための中央演算処理装置と、
通信チップを含み、
前記中央演算処理装置は前記捕獲器の状態を捕獲器展開の後に起こる武装イベントに応答して非武装状態から武装状態に状態の変更をするように構成され、
前記状態の変更は使用者による手動の介入なしで実行され、
遠隔の装置は遠隔の使用者が前記通信チップをとおして前記捕獲器の中央演算処理装置と無線通信できるようにする電子げっ歯類動物捕獲器システム。
【請求項８】
前記遠隔の使用者による前記捕獲器中央演算処理装置への前記通信が、前記捕獲器の状態を前記非武装状態から前記武装状態に変更する武装イベントの役割を果たす、
請求項７に記載の自己武装する電子げっ歯類動物捕獲器システム。
【請求項９】
前記遠隔の装置が、専用遠隔コントローラ、スマートフォンアプリ、インターネット接続を備えた計算装置、及びクラウド通信を使う計算装置、のうちの少なくとも１つを含む、
請求項７に記載の自己武装する電子げっ歯類動物捕獲器システム。
【請求項１０】
前記捕獲器がタイマーに応答し、
前記武装イベントが前記タイマーによって設定された期間の満了を含み、
前記タイマーは、前記捕獲器に内蔵される又はクラウドベースタイマーである、
請求項７に記載の自己武装する電子げっ歯類動物捕獲器システム。
【請求項１１】
前記システムが、前記装置を備えた前記遠隔の使用者が前記期間の満了の前に武装命令を発信できるように構成され、
前記武装命令に応答して前記捕獲器が前記武装状態に変わる、
請求項１０に記載の自己武装する電子げっ歯類動物捕獲器システム。
【請求項１２】
前記捕獲器がさらに活動センサを含み、
前記捕獲器は前記非武装状態において高電圧回路が停止中に前記活動センサを使って前記捕獲器内の又は前記捕獲器に隣接した活動を監視し、
前記武装イベントは、前記捕獲器内の又は前記捕獲器に隣接したげっ歯類動物の閾値レベルの活動を前記活動センサにより検出することを含む、
請求項７に記載の自己武装する電子げっ歯類動物捕獲器システム。
【請求項１３】
前記システムは、前記装置を備えた前記遠隔の使用者が、捕獲器活動のアップデートを前記捕獲器から受信し、前記閾値レベルのげっ歯類動物活動が検出される前に前記捕獲器を前記武装状態にする起動命令を発信できるように構成される、
請求項１２に記載の自己武装する電子げっ歯類動物捕獲器システム。
【請求項１４】
前記活動センサが、動作検出装置、温度検出装置、能動的赤外線検出装置、受動的赤外線検出装置、近接検出装置、及びインピーダンス検出装置から成るグループから選択される少なくとも１つのセンサを含む、
請求項１２に記載の自己武装する電子げっ歯類動物捕獲器システム。
【請求項１５】
げっ歯類動物を捕獲器に慣れさせることができるように電子げっ歯類動物捕獲器を操作する方法であって、
前記方法は、
複数の殺傷プレートに接続された高電圧出力回路、及び高電圧回路を制御するための中央演算処理装置を有する前記電子げっ歯類動物捕獲器を非武装状態で望ましい場所に配置するステップと、
前記捕獲器が、前記非武装状態において、げっ歯類動物の前記捕獲器とのインタラクションにより前記高電圧回路が起動する結果とならない監視モードで前記望ましい場所で動作するステップと、
前記捕獲器が、武装イベントが発生するまで監視モードに留まるステップと、
前記中央演算処理装置が、前記武装イベントに応答して前記捕獲器の状態を前記非武装状態から武装状態に変更するステップと、
上記変更が、使用者による手動介入なしで前記中央演算処理装置により実行されるステップと、
を含む方法。
【請求項１６】
前記電子げっ歯類動物捕獲器を配置する前記ステップの一部として、前記捕獲器の内蔵タイマーをある期間に設定するステップをさらに含み、
前記期間が満了するまで前記捕獲器は前記監視モードで動作し、
前記期間の満了が前記武装イベントとして働く、
請求項１５に記載の方法。
【請求項１７】
前記捕獲器が、活動センサをさらに含み、
前記望ましい場所で前記監視モードで動作する前記ステップは、前記活動センサを使って前記捕獲器の近傍の、及び／又は前記捕獲器とのインタラクションを前記捕獲器が監視するステップを含み、
前記捕獲器は、閾値回数のインタラクションの検出がされるまで前記監視モードに留まり、
前記閾値回数のインタラクションの検出が前記武装イベントとして働く、
請求項１５に記載の方法。
【請求項１８】
前記武装イベントが、前記中央演算処理装置に前記捕獲器を武装するように指示する遠隔の使用者から送られる無線の起動信号を前記捕獲器が受信することを含む、
請求項１５に記載の方法。
【請求項１９】
前記使用者がクラウドベースタイマーをある期間に設定するステップをさらに含み、
前記期間が満了するまで前記捕獲器は前記監視モードで動作し、
前記期間の満了が前記武装イベントとして働く、
請求項１５に記載の方法。
【請求項２０】
前記武装イベントが、専用遠隔コントローラ、スマートフォンアプリ、インターネット接続を備えた計算装置、及びクラウドコミュニケーションを使う計算装置から成るグループから選択される装置を使って遠隔の使用者から送られる無線の起動信号を前記捕獲器が受信することを含む、
請求項１５に記載の方法。
【発明の詳細な説明】
【関連出願の相互参照】
【０００１】
本願は、２０１７年３月２日付けで出願された米国特許仮出願第６２／４６６１１４号公報、及び２０１８年２月２７日付けで出願された米国特許非仮出願第１５／９０６６９１号公報に基づき優先権を主張するものである。
【技術分野】
【０００２】
本願発明はげっ歯動物制御の分野に関し、より詳細には、げっ歯類動物（ｒｏｄｅｎｔ）を捕獲器の存在に慣れさせるために捕獲器を非武装状態（ｕｎａｒｍｅｄ  ｓｔａｔｅ）で配置する装置及び方法に関し、捕獲器は監視モードで作動したのち、使用者による手動介入なしで独自に武装するように構成される。
【背景技術】
【０００３】
げっ歯類動物、及び特にネズミは新しいもの嫌い（ｎｅｏｐｈｏｂｉｃ）である、すなわちそれらの環境に現れた新しい物体を警戒する。げっ歯類動物が、たとえ餌又は食物が新しい物体に関連して置かれていても新しい物体を数時間、数日、又は数週間の間避けることの記録が多く存在する。
【０００４】
この新しいもの嫌いの傾向への対策として有害動物（ｐｅｓｔ）制御の専門家やげっ歯類動物の捕獲に詳しいその他の人々により使われる技術の１つは、餌を備えたげっ歯類動物捕獲器を環境に置くが、捕獲できるようにセットしないでおくことである。一定の期間が経ちげっ歯類動物が捕獲器に慣れたところで技術者が捕獲器に戻ってセットする。この技術は少なくとも２つの目的を達成する。第一に、餌があるが無害な状態の捕獲器とは待機期間の間は殺されることなくげっ歯類動物が近寄ることができる。第二に、げっ歯類動物が痛い思いをすることなく餌にありつくことに成功するにつれて小便や匂い／フェロモンを残し、それにより他のげっ歯類動物は新しいものが近寄っても安全なものであると安心する。
【０００５】
前述の技術の短所は、餌をつけて捕獲器をセットしないで配置し、捕獲器を待機期間中放置し、そして後に戻って各捕獲器を実際に設定することに要する時間と労力である。
【０００６】
したがって、げっ歯類動物捕獲器を餌付き又は餌無し構成でセットしないで配置し、待機期間後に手動以外の方法で起動又はセットし、技術者が捕獲器まで再び戻ることを不必要とする装置と方法の必要性が存在する。
【発明の概要】
【０００７】
上記を考慮して、本願発明は手動以外の又は自動武装機能、および非武装状態でげっ歯類動物捕獲器を展開し、使用者が物理的に捕獲器にアクセスすることなく待機期間後にセットをする方法を有するげっ歯類動物捕獲器を目標とする。好ましくは電子げっ歯類動物捕獲器として具現化される捕獲器は、無線遠隔武装機能、時間で武装する機能、活動に基づく武装、その他類似の方法を備えて構成されてもよい。
【０００８】
したがって、本願発明の目的は、捕獲器がセットされていない非武装構成で餌付きで配置可能であり、一定の待機期間後に、無線通信信号で遠隔的に武装可能である、又は使用者が物理的に捕獲器にアクセスする必要なく自動的に殺傷可能な構成（ｋｉｌｌ  ｃｏｎｆｉｇｕｒａｔｉｏｎ）に武装できる電子げっ歯類動物捕獲器を提供することである。
【０００９】
本願発明の別の目的は、遠隔コントローラ、又はスマートフォン、ウェブ、又はＰＣアプリによって捕獲器が殺傷可能な構成にセット又は武装する上述の目的に従う電子げっ歯類動物捕獲器を提供することである。
【００１０】
本願発明のさらなる目的は、特定の時間に、又はファームウェアベースのタイマー、メカニカルタイマー、クラウドベースタイマーなどのタイマーに基づく機構を使って特定の期間が過ぎた後に捕獲器が殺傷可能な構成にセット又は武装する当初の目的に従う電子げっ歯類動物捕獲器を提供することである。
【００１１】
本願発明のさらなる別の目的は、捕獲器が非武装時は捕獲器が捕獲器とのインタラクション（ｉｎｔｅｒａｃｔｉｏｎ）を監視するがそれにより自動的に武装することがない待機又は監視モードで動作する頭書の目的に従う電子げっ歯類動物捕獲器を提供することであり、監視モードにある捕獲器は、捕獲器内又は捕獲器近傍におけるげっ歯類動物の活動の閾値レベルの検出などの特定の判断基準に基づいて独自に殺傷可能な構成にセット又は武装するように構成される。
【００１２】
本願発明のさらなる別の目的は、捕獲器が捕獲器の近傍の活動や捕獲器とのインタラクションを、動き、温度、インピーダンス、赤外線および近接感知を非限定的に含む１つ以上のパラメータに基づいて検出する少なくとも１つのセンサを含む前述の目的に従う電子げっ歯類動物捕獲器を提供することであり、監視モードにあるとき捕獲器は近傍の活動やインタラクションを追跡する。
【００１３】
本願発明のさらなる目的は、捕獲器コントローラ又は中央演算処理装置（ＣＰＵ）が少なくとも１つのセンサからのデータを継続的に受け、データを評価して検出された活動がげっ歯類動物のものかげっ歯類動物以外のものかを判定する前出２つの目的に従う電子げっ歯類動物捕獲器を提供することである。
【００１４】
本願発明のさらなる目的は、捕獲器が殺傷可能な構成に自分自身を武装するまでのげっ歯類動物のインタラクション回数の閾値を使用者が設定できる前出３つの目的に従う電子げっ歯類動物捕獲器を提供することである。
【００１５】
本願発明の別の目的は、捕獲器が監視モードにあるとき、げっ歯類動物に関係すると考えられる捕獲器とのインタラクションの通知を、発生の毎回又は選択された回数ごとに受けるオプションを使用者が有し、インタラクション回数の閾値を超える以前に捕獲器を遠隔的に武装する選択ができる前出４つの目的に従う電子げっ歯類動物捕獲器を提供することである。
【００１６】
本願発明のさらなる別の目的は、配置してから非武装状態で放置可能であり、使用者が捕獲器と物理的に一回関わるだけで後から武装可能であるから、捕獲器の展開と操作に関連して必要な時間と労力を低減できる前述の目的に従う電子げっ歯類動物捕獲器を提供することである。
【００１７】
本願発明のさらなる別の目的は、複数の殺傷プレート（ｋｉｌｌｉｎｇ  ｐｌａｔｅ）に接続された高電圧出力回路、及び高電圧出力回路を制御するための中央演算処理装置を含む自己武装する電子げっ歯類動物捕獲器を提供することであり、中央演算処理装置は捕獲器の状態を捕獲器の展開後に起こる武装イベント（ａｒｍｉｎｇ  ｅｖｅｎｔ）に応答して非武装状態から武装状態に変えるように構成され、状態の変更は使用者による手動の介入なしで実行される。
【００１８】
本願発明のさらなる別の目的は、捕獲器がさらにタイマーを含む前述の目的に従う自己武装する電子げっ歯類動物捕獲器を提供することであり、武装イベントはタイマーによって設定された時間の満了を含む。
【００１９】
本願発明のさらなる目的は、捕獲器がさらに活動センサを含む前出２つの目的に従う自己武装する電子げっ歯類動物捕獲器を提供することであり、捕獲器は非武装状態において高電圧回路が停止中に活動センサを使って捕獲器内の又は捕獲器に隣接した活動を監視し、武装イベントは、捕獲器内の又は捕獲器に隣接したげっ歯類動物の閾値レベルの活動を活動センサにより検出することを含む。
【００２０】
本願発明のさらなる目的は、中央演算処理装置が遠隔の使用者と無線通信できるようにする通信チップを捕獲器がさらに含む前出３つの目的に従う自己武装する電子げっ歯類動物捕獲器を提供することであり、武装イベントは中央演算処理装置に捕獲器を武装状態に起動するよう指示する遠隔の使用者からの無線信号の受信を含む。
【００２１】
本願発明の別の目的は、電子げっ歯類動物捕獲器および捕獲器と無線通信するための遠隔装置を含む自己武装する電子げっ歯類動物捕獲器システムを提供することであり、捕獲器は、複数の殺傷プレート、高電圧出力回路を制御するための中央演算処理装置、及び通信チップを有し、中央演算処理装置は捕獲器の状態を捕獲器の展開後に起こる武装イベントに応答して非武装状態から武装状態に変えるように構成され、状態の変更は使用者による手動の介入なしで実施され、装置により遠隔の使用者が捕獲器の中央演算処理装置と通信チップをとおして無線通信できる。
【００２２】
本願発明のさらなる別の目的は、げっ歯類動物を捕獲器に慣れさせることができるように電子げっ歯類動物捕獲器を操作する方法を提供することであり、方法は電子げっ歯類動物捕獲器を非武装状態で望ましい場所に配置することを含み、電子げっ歯類動物捕獲器は複数の殺傷プレートに接続された高電圧出力回路、および、高電圧出力回路を制御するための中央演算処理装置を有し、捕獲器は非武装状態において、げっ歯類動物の捕獲器とのインタラクションにより高電圧回路が起動する結果とならない監視モードで望ましい場所で動作し、捕獲器は武装イベントが発生するまで監視モードに留まり、中央演算処理装置は武装イベントに応答して捕獲器の状態を武装状態に変更し、状態の変更は使用者による手動介入なしで中央演算処理装置により実行される。
【００２３】
本願発明のさらなる別の目的は、前述の目的に従ってげっ歯類動物を捕獲器に慣れさせることができるように電子げっ歯類動物捕獲器を操作する方法を提供することであり、電子げっ歯類動物捕獲器を配置するステップの一部として捕獲器内の内部タイマーで期間を設定するステップ、又は使用者がクラウトベースタイマーで期間を設定するステップを含み、捕獲器は期間が満了する監視モードで動作し、期間の満了が武装イベントとして働く。
【００２４】
本願発明のさらなる別の目的は、前出２つの目的に従ってげっ歯類動物を捕獲器に慣れさせることができるように電子げっ歯類動物捕獲器を操作する方法を提供することであり、捕獲器はタイマーの有無にかかわらず、活動センサを含み、監視モードで望ましい場所で動作するステップは、捕獲器が捕獲器の近傍の、及び／又は捕獲器とのインタラクションを活動センサを使って監視し、捕獲器は閾値回数のインタラクションが検出されるまで監視モードに留まることを含み、閾値回数のインタラクションを検出することは武装イベントとして働く。
【００２５】
本願発明のさらなる別の目的は、前出３つの目的に従ってげっ歯類動物を捕獲器に慣れさせることができるように電子げっ歯類動物捕獲器を操作する方法を提供することであり、捕獲器は捕獲器の中央演算処理装置に捕獲器を武装するように指示する遠隔の使用者から送られる無線の起動信号を受信できる。
【００２６】
本願発明のさらなる別の目的は、前述の目的に従ってげっ歯類動物を捕獲器に慣れさせることができるように電子げっ歯類動物捕獲器を操作する方法を提供することであり、無線起動信号は、専用遠隔コントローラ、スマートフォンアプリ、インターネット接続を備えた計算装置、及びクラウドコミュニケーションを使う計算装置から成るグループから選択される装置を使って遠隔の使用者から送られる。
【００２７】
これらの目的及び利点は、これから明らかになるその他の目的及び利点と共に、これからより完全に記述及びクレームされる構造及び動作の詳細の中に存在し、似た部品には似た符号が全般的に使用される添付図面が参照される。
【図面の簡単な説明】
【００２８】
【図１】図１は、スマートフォンアプリ又はＰＣ、及びクラウドコンピューティング又はインターネットを使って捕獲器を遠隔で武装するよう構成された、本願発明の第一の実施形態に係る電子げっ歯類動物捕獲器のブロック図である。
【図２】図２は、遠隔コントローラを使って捕獲器を遠隔で武装するよう構成された、本願発明の第二の実施形態に係る電子げっ歯類動物捕獲器のブロック図である。
【図３】図３は、捕獲器を特定された時刻で、又は特定の期間後に、遅れて武装するためのタイマーを備えて動作する、本願発明の第三の実施形態に係る電子げっ歯類動物捕獲器のブロック図である。
【図４】図４は、活動の検出又は捕獲器とのインタラクションの閾値回数の検出又は遠隔信号への応答が起こるとデータを評価して捕獲器を武装する中央演算処理装置にデータを提供する１つ以上のセンサとして具現化され得る活動検出装置を備えた、本願発明の第四の実施形態に係る電子げっ歯類動物捕獲器のブロック図である。
【図５】図５は、本願発明に係る電子げっ歯類動物捕獲器がセットされずに配置され、その後待機期間の満了後、及び／又は捕獲器近傍の活動及び／又は捕獲器とのインタラクションの回数の閾値の検出、又は遠隔から送られた信号の受信が起こった際に手動介入なしで武装する方法のフローチャートである。
【発明を実施するための形態】
【００２９】
ここで説明される実施形態は図示目的のみで提供されていることを理解されたい。下記の説明で開示される又は図面に図示される部品の構造及び構成の詳細によって発明が限定されることを意図しない。さらに、実施形態を説明するにあたり、明確性のために特別な用語を使用する結果になり得る。それぞれの特定の用語は同様の目的達成のために同様に動作する全ての技術的同等物を含むことを理解されたい。
【００３０】
図１に示されるように、本願発明は中央演算処理装置（ＣＰＵ）１２によって制御される高電圧出力回路１０を含み、第一のプレート１４及び第二のプレート１６と通信する電子げっ歯類動物捕獲器１００に関する。第三のプレート１８も図２および３に示されるように含まれてもよい。全ての実施形態は２個又は３個のプレートで、又はさらに追加のプレートと共に構成されてもよく、ここで示される実施形態の間で２個で示されるもの対３個で示されるものそれぞれの図示は限定的ではなく例示のみを意図している。起動されると、回路１０は高電圧のパルストレイン（ｐｕｌｓｅ  ｔｒａｉｎ）をプレート１４、１６に送る。高電圧殺傷プレートを備えた電子げっ歯類動物捕獲器は、それら全てが本願発明の譲受人により共同所有されその全体がここで開示されていることと同様に参照され援用される米国特許第６７３５８９９号（’８９９特許と呼ぶ）、米国特許第６８３６９９９号（’９９９特許と呼ぶ）、及び米国特許第７２１９４６６号（’４６６特許と呼ぶ）において開示されている。
【００３１】
本願発明によれば、捕獲器１００は、回路１０を準備完了又は武装状態にさせる制御をするＣＰＵ１２が遠隔の使用者４８と無線通信できるようにする通信チップ２０及びアンテナ２２を含む。捕獲器１００は、餌無しで、又は好ましくは餌付きで、新しい捕獲場所に、セットされることなく待機又は監視モード、すなわち非武装、の状態で配置されてもよい。監視モードにおいて、捕獲器は捕獲器内のげっ歯類動物の存在に直接応答して自動的に高電圧パルスをプレート１４、１６に送ることはなく、単に待機し、その後、以下に説明されるような１つ以上の特定の入力又は武装イベントが発生すると自己武装する又は遠隔操作で起動される。捕獲器はまた、ここで概説されるように監視モードにあるとき他の機能を実行するように構成されてもよい。いったん捕獲器が武装されると、先にここで参照され援用される’８９９特許、’９９９特許、および’４６６特許に説明される電子げっ歯類動物捕獲器の動作と似た方法で、プレートのうち少なくとも２つとのげっ歯類動物の接触により高電圧回路１０が起動される。
【００３２】
図１に示される第一の実施形態によれば、捕獲器は、使用者４８からの無線信号の受信に応答してＣＰＵ１２によってセットされる又は武装状態に置かれてもよい。使用者は、インターネット３４を介してスマートフォンアプリ３０又はＰＣ３２などの様々な種類の計算装置を使って、又はクラウド３６を使って、アンテナ２２および通信チップ２０へ信号を送ってもよく、又は現在知られる又は未来の全ての無線ネットワーク通信方法を使ってもよい。したがって、図１−４において使用者４８は装置を特定せずに示されるが、使用者が無線通信を発信又は受信するように構成されたあらゆる装置及び／又は方法を利用可能であることは明らかである。
【００３３】
図２に示される第二の実施形態において、ＣＰＵ１２は、捕獲器を操作するように特別に設計された専用の遠隔コントローラ２４を使って使用者によって送られた無線信号に応答して捕獲器を武装状態に置いてもよい。
【００３４】
図３に示される第三の実施形態において、捕獲器２００は内蔵タイマー４０又はクラウドベースタイマー４２のいずれかを備えて動作可能である。使用者４８によって設定されるとおり、タイマーは捕獲器が監視モードに留まる時間又は待機期間を定義する。時間又は待機期間が満了するとＣＰＵ１２は捕獲器をセット又は武装状態に置く。使用者４８は、図１のように、捕獲器を早くセットするために武装又は起動信号４４を捕獲器２００にクラウド３６から又はインターネットを介して送り、タイマー４０、４２を無視する選択ができる。
【００３５】
第四の実施形態において、捕獲器３００には活動検出装置２５が備えられる。監視モードにあるとき、活動検出装置２５は捕獲器近傍の活動及び／又は捕獲器とのインタラクションを検出する１つ以上のセンサとして具現化されてもよい。これらのセンサは、加速度計、げっ歯類動物の体温に反応する温度検出装置５２、能動的又は受動的赤外線検出装置５４、近接検出装置５６、及び／又はプレート間で測定したときげっ歯類動物の値と一致するインピーダンス値を認識するように構成されたインピーダンス検出装置５８として具現化され得る動作検出装置５０、その他を含んでもよい。センサからのデータはＣＰＵ１２に継続的に提供され、データはそこで解析され、報告されたデータがげっ歯類動物の活動と一致するか、又は虫の活動、環境要因、その他などの何か他の原因による可能性が高いかが決定される。監視モードに留まったまま、ＣＰＵ１２は内蔵カウンタ６０、クラウドベースカウンタ１６０、又はその他の同等物を使ってインタラクションの数とタイプを記録する。
【００３６】
１つ以上のセンサを有する活動検出装置２５を備えるとき、捕獲器とのインタラクションの回数が閾値に達したことを検出すると捕獲器３００が殺傷可能な構成に自己武装するように使用者は設定することができる。使用者４８はまた、クラウド３６を介して、又は図１に示すようなその他の方法を使って通信信号の発信をすることで独立して、捕獲器３００を武装する選択もできる。
【００３７】
今説明したような活動及び／又は捕獲器とのインタラクションの検出および追跡に加えて、捕獲器はまた使用者４８に活動警報を提供する無線信号を送るように構成されてもよい。活動警報によれば、捕獲器が監視モードにある間、捕獲器で発生しているインタラクションを使用者が逃さないようにできる。これらの警報に応答して、使用者はげっ歯類動物のインタラクションの回数が閾値に達するまえに、通信チップ２０を介したＣＰＵ１２への無線信号の発信によって捕獲器を起動させる、又は遠隔で武装させる選択ができる。
【００３８】
本願発明はまた、図５のフローチャートで要約されるように、行動領域に捕獲器を非武装状態で配置することによりげっ歯類動物を捕獲器の存在に慣れさせ、その後遠隔信号に応じて、待機期間の満了、捕獲器近傍の行動の検出、及び／又はその他により、手動の介入なしで捕獲器をセット又は武装させる方法に関する。
【００３９】
この方法によれば、ステップ４００で捕獲器は新しい場所に非武装状態で置かれる。置かれるとき捕獲器は餌付きでも餌無しでもよい。ステップ４０２で捕獲器がタイマーを内蔵する場合、ステップ４０４でタイマーがセットされる。その後捕獲器は監視モードで作動し、ステップ４０６でタイマーが満了したか否かを追跡する。ステップ４０６でタイマーが切れていない場合、ステップ４０８で捕獲器は非武装を維持し、監視モード下でげっ歯類動物はインタラクションを続けられる。
【００４０】
捕獲器がステップ４１０で活動センサを有する場合、捕獲器はステップ４１２で捕獲器近傍の活動及び／又は捕獲器とのインタラクションを監視する。ステップ４１４で活動が検出されない限り、捕獲器はステップ４１２で活動を監視続ける。ステップ４１４で活動が検出されたとき、捕獲器はステップ４１６で、カウンタ又はその他の類似機構を１つ進め、ステップ４１８で活動又はインタラクションが閾値回数だけ検出されたか否かを判断する。ステップ４１８で活動又はインタラクションが閾値回数に未だ到達していない場合、且つステップ４１９で遠隔信号が無い場合、ステップ４０８で捕獲器は非武装を維持し、監視モード下でげっ歯類動物はインタラクションを続けられる。ステップ４１８で活動又はインタラクションが閾値回数に一旦到達すると、又はステップ４１９で使用者からの遠隔信号が受信された場合、捕獲器はステップ４２０で手動介入なしで自己武装する。
【００４１】
捕獲器がステップ４１０で活動センサを有さない場合、且つステップ４０２でタイマーを有さない、又はステップ４０６でタイマーを有するが時間切れしていない場合、ステップ４２２で遠隔信号を受信するまで、又はタイマーが満了するまで、ステップ４０８で捕獲器は非武装を維持し、監視モード下でげっ歯類動物はインタラクションを続けられる。ステップ４２２で遠隔コントローラ又はスマートフォンアプリ又はインターネットもしくはクラウドを介したＰＣのいずれかからの遠隔信号を受信すると、又はステップ４２４でタイマーが切れると、捕獲器はステップ４２０で手動介入なしで自己武装する。
【００４２】
本願発明はまた、通信チップなしで構成されてもよく、捕獲器の中央演算処理装置が捕獲器の配置後に発生する武装イベントに応答して捕獲器の状態を非武装状態から武装状態に使用者による手動介入なしで変えるように構成されてもよい。武装イベントは例えば捕獲器の独立のタイマーによって設定される期間の満了である。加えて、又は代わりに、捕獲器は活動センサを含んでもよく、武装イベントは捕獲器内又は捕獲器に隣接したげっ歯類動物の活動を活動センサによって閾値回数検出することでもよい。捕獲器はまた、外部からの入力なしで作動できて捕獲器を初期の配置以降に、又は配置のときに起動させる他の独立式センサを備えてもよい。
【００４３】
前述の説明及び図面は発明の原理の例示のみであると考えられるべきである。本願発明は様々な形、及びサイズで構成されてもよく、実施形態の寸法に限定されない。当業者には本願発明の多数の用途が容易に思い浮かぶ。したがって、発明を、開示された特定の例や、図示され説明された構造及び動作そのままに限定することは望んでいない。むしろ、発明のスコープ内で全ての適切な変更及び同等物に到達し得る。
【図１】
2020508682.tif 000003
【図２】
2020508682.tif 000004
【図３】
2020508682.tif 000005
【図４】
2020508682.tif 000006
【図５】
2020508682.tif 000007
【手続補正書】
【提出日】令和1年11月12日(2019.11.12)
【手続補正１】
【補正対象書類名】特許請求の範囲
【補正対象項目名】全文
【補正方法】変更
【補正の内容】
【特許請求の範囲】
【請求項１】
自己武装する電子げっ歯類動物捕獲器であって、
複数の殺傷プレートに接続された高電圧出力回路と、
前記高電圧出力回路を制御するための中央演算処理装置と、
前記中央演算処理装置が遠隔の使用者と無線で通信可能にする通信チップと、を含み、
前記中央演算処理装置は前記捕獲器の状態を捕獲器展開の後に起こる少なくとも１つの武装イベントに応答して非武装状態から武装状態に変えるように構成され、
前記少なくとも１つの武装イベントは、捕獲器を前記武装状態に起動するよう前記中央演算処理装置に命令する前記遠隔の使用者からの無線信号を受信することを含む、
自己武装する電子げっ歯類動物捕獲器。
【請求項２】
前記捕獲器がさらにタイマーを含み、
前記武装イベントは前記タイマーによって設定された時間の満了、又は前記時間の満了の前に前記遠隔の使用者から無線信号を受信することを含む、
請求項１に記載の自己武装する電子げっ歯類動物捕獲器。
【請求項３】
前記捕獲器がさらに活動センサを含み、
前記捕獲器は前記非武装状態において前記高電圧回路が停止中に前記活動センサを使って前記捕獲器内の又は前記捕獲器に隣接した活動を監視し、
前記武装イベントは、前記捕獲器内の又は前記捕獲器に隣接したげっ歯類動物の閾値レベルの活動を前記活動センサにより検出すること、又はげっ歯類動物の前記閾値レベルの活動検出の前に前記遠隔の使用者から前記無線信号を受信することを含む、
請求項１に記載の自己武装する電子げっ歯類動物捕獲器。
【請求項４】
前記活動センサが、動作検出装置、温度検出装置、能動的赤外線検出装置、受動的赤外線検出装置、近接検出装置、及びインピーダンス検出装置から成るグループから選択される少なくとも１つのセンサを含む、
請求項３に記載の自己武装する電子げっ歯類動物捕獲器。
【請求項５】
前記閾値レベルが、前記活動センサによって検出される前記捕獲器とのげっ歯類動物のインタラクション回数が閾値に到達することを含む、
請求項３に記載の自己武装する電子げっ歯類動物捕獲器。
【請求項６】
前記捕獲器が、前記捕獲器で発生しているインタラクションを報告する活動警報を前記使用者に提供する無線信号を送信するように構成された、
請求項３に記載の自己武装する電子げっ歯類動物捕獲器。
【請求項７】
自己武装する電子げっ歯類動物捕獲器システムであって、前記システムは、
複数の殺傷プレートに接続された高電圧出力回路を有する電子げっ歯類動物捕獲器と、
前記高電圧出力回路を制御するための中央演算処理装置と、
通信チップを含み、
前記中央演算処理装置は前記捕獲器の状態を捕獲器展開の後に起こる武装イベントに応答して非武装状態から武装状態に状態の変更をするように構成され、
前記状態の変更は使用者による手動の介入なしで実行され、
遠隔の装置は遠隔の使用者が前記通信チップをとおして前記捕獲器の中央演算処理装置と無線通信できるようにし、
前記遠隔の使用者による捕獲器の中央演算処理装置への通信は、前記非武装状態から前記武装状態に変更する前記武装イベントの役割を果たす無線の起動信号送信を含む、
電子げっ歯類動物捕獲器システム。
【請求項８】
前記遠隔の装置が、専用遠隔コントローラ、スマートフォンアプリ、インターネット接続を備えた計算装置、及びクラウド通信を使う計算装置、のうちの少なくとも１つを含む、
請求項７に記載の自己武装する電子げっ歯類動物捕獲器システム。
【請求項９】
前記捕獲器が内蔵又はクラウドベースタイマーを含み、
前記武装イベントは前記タイマーによって設定された期間の満了、又は前記時間の満了の前に前記遠隔の使用者から前記捕獲器を前記非武装状態から前記武装状態に変更する無線信号を受信することを含む、
請求項７に記載の自己武装する電子げっ歯類動物捕獲器システム。
【請求項１０】
前記捕獲器がさらに活動センサを含み、
前記捕獲器は前記非武装状態において高電圧回路が停止中に前記活動センサを使って前記捕獲器内の又は前記捕獲器に隣接した活動を監視し、
前記武装イベントは、前記捕獲器内の又は前記捕獲器に隣接したげっ歯類動物の閾値レベルの活動を前記活動センサにより検出すること、又はげっ歯類動物の前記閾値レベルの活動検出の前に前記遠隔の装置により発信された前記捕獲器を武装状態に変える前記無線の起動信号を受信することを含む、
請求項７に記載の自己武装する電子げっ歯類動物捕獲器システム。
【請求項１１】
前記システムが、前記装置を備えた前記遠隔の使用者が前記捕獲器から捕獲器活動のアップデートを受信できるように構成される、
請求項１０に記載の自己武装する電子げっ歯類動物捕獲器システム。
【請求項１２】
前記活動センサが、動作検出装置、温度検出装置、能動的赤外線検出装置、受動的赤外線検出装置、近接検出装置、及びインピーダンス検出装置から成るグループから選択される少なくとも１つのセンサを含む、
請求項１０に記載の自己武装する電子げっ歯類動物捕獲器システム。
【請求項１３】
げっ歯類動物を捕獲器に慣れさせることができるように電子げっ歯類動物捕獲器を操作する方法であって、
前記方法は、
複数の殺傷プレートに接続された高電圧出力回路、及び高電圧回路を制御するための中央演算処理装置を有する前記電子げっ歯類動物捕獲器を非武装状態で望ましい場所に配置するステップと、
前記捕獲器が、前記非武装状態において、げっ歯類動物の前記捕獲器とのインタラクションにより前記高電圧回路が起動する結果とならない監視モードで前記望ましい場所で動作するステップと、
前記捕獲器が、武装イベントが発生するまで監視モードに留まるステップと、
前記中央演算処理装置が、前記武装イベントに応答して前記捕獲器の状態を前記非武装状態から武装状態に変更するステップと、を含み、
前記武装イベントは前記捕獲器を武装するよう前記中央演算処理装置に命令する前記遠隔の使用者から送信された無線信号を前記捕獲器が受信することを含む、
む方法。
【請求項１４】
前記電子げっ歯類動物捕獲器を配置する前記ステップの一部として、前記捕獲器の内蔵タイマーをある期間に設定するステップをさらに含み、
前記期間が満了するまで前記捕獲器は前記監視モードで動作し、
前記期間が満了すること、又は前記時間の満了の前に前記無線の起動信号を受信することが前記武装イベントとして働く、
請求項１３に記載の方法。
【請求項１５】
前記捕獲器が、活動センサをさらに含み、
前記望ましい場所で前記監視モードで動作する前記ステップは、前記活動センサを使って前記捕獲器の近傍の、及び／又は前記捕獲器とのインタラクションを前記捕獲器が監視するステップを含み、
前記捕獲器は、閾値回数のインタラクションの検出がされるまで前記監視モードに留まり、
前記閾値回数のインタラクションの検出を検出すること、又は前記閾値レベルの活動検出の前に前記無線の起動信号を受信することが前記武装イベントとして働く、
請求項１３に記載の方法。
【請求項１６】
前記使用者がクラウドベースタイマーをある期間に設定するステップをさらに含み、
前記期間が満了するまで前記捕獲器は前記監視モードで動作し、
前記期間が満了すること、又は前記時間の満了の前に前記無線の起動信号を受信することが前記武装イベントとして働く、
請求項１３に記載の方法。
【請求項１７】
前記無線の起動信号が、専用遠隔コントローラ、スマートフォンアプリ、インターネット接続を備えた計算装置、及びクラウドコミュニケーションを使う計算装置から成るグループから選択される装置を使って前記遠隔の使用者から送られる、
請求項１３に記載の方法。
【国際調査報告】
2020508682.tif 000008